(57)【要約】  中央孔を有する上カバー（４１）、および入出用扉（４３、４４）を備えている筒状本体（４２）を有し；キャビン（１００）は、消毒用かつ／または個人衛用の製品が入ったタンク（３、１８、２７）を有し；前記製品を押し出すための加圧空気を蓄積するエアタンク（１２）、製品をキャビン（１００）の内側部分に配置されたスプリンクラー（４９）まで誘導する配管（１６、１７、３７、３８）、前記押し出しを調節するために配管（１６、１７、３７、３８）とスプリンクラー（４９）との間に介在する設定器（３６）も備え、エアタンク（１２）内に空気の圧力を蓄積するための加圧空気ポンプ（１）も備えている、ウイルスおよび病原菌消毒用ならびに個人衛生用のキャビン（１００）。キャビン（１００）の内部には、高さを調節できる座席（５１）が配置されている。【選択図】  図１
2019517901.tif 000002
【特許請求の範囲】
【請求項１】
ウイルスおよび病原菌消毒用ならびに個人衛生用のキャビン（１００）であって、使用者が着用しているウイルスおよび病原菌に対する防護服のフード、または使用者の頭を露出させるための中央孔を有する上カバー（４１）、ならびに入出用扉（４３、４４）を備えている筒状本体（４２）を有し；前記キャビン（１００）は、消毒用かつ／または個人衛生処理を実行するための製品が入ったタンク（３、１８、２７）を有し；前記製品を押し出すための加圧空気を蓄積するエアタンク（１２）、前記製品を前記キャビン（１００）の前記扉（４３、４４）の内側部分に配置されたスプリンクラー（４９）まで誘導する配管（１６、１７、３７、３８）、前記タンク（３、１８、２７）よりも前の前記配管（１６、１７、３７）と前記排出管（３８）との間に介在している設定器（３６）であって、前記押し出しを調節し、プログラム化した前記製品の塗布を実行するために前記スプリンクラー（４９）と通じている、設定器（３６）も備え；前記エアタンク（１２）内に空気の圧力を蓄積するための加圧空気ポンプ（１）も備え；前記タンクは、肌の手入れ用の洗浄剤、化粧品および芳香剤に対する第１のタンク（３）、消毒用の第２のタンク（１８）、およびすすぎ用の第３のタンク（２７）を含み、前記タンクの１つ１つが、蓋（５、２０、２９）、前記製品の測定器（９、２４および３３）、圧力を測定する圧力計（４、１９および２８）、および安全バルブ（６、２２および３１）を備え；キャビン（１００）の内部には、高さを調節できる座席（５１）が配置されていることを特徴とする、ウイルスおよび病原菌消毒用ならびに個人衛生用のキャビン（１００）。
【請求項２】
前記扉（４３、４４）は、下側レール（５２）の上を走るように取り付けられていることを特徴とする、請求項１に記載のウイルスおよび病原菌消毒用ならびに個人衛生用のキャビン（１００）。
【請求項３】
前記第１のタンク（３）の前記第１の測定器（９）は、洗浄が終わると自動で閉鎖する第１のバルブ（９ａ）を備え；前記第１の安全バルブ（６）は、前記第１のタンク（３）への空気供給管（１３）に配置され、前記第１のタンク（３）に対応する第１の蓋（５）を開けるために閉じるように作動することを特徴とする、請求項１に記載のウイルスおよび病原菌消毒用ならびに個人衛生用のキャビン（１００）。
【請求項４】
前記消毒用の第２のタンク（１８）の前記第２の測定器（２４）は、中身の製品がなくなると自動で閉鎖する第２のバルブ（２５）を備え；前記第２の安全バルブ（２２）は、前記第２のタンク（１８）への空気供給管（１３）に配置され、前記第２のタンク（１８）に対応する前記第２の蓋（２０）を開けるために閉じるように作動することを特徴とする、請求項１に記載のウイルスおよび病原菌消毒用ならびに個人衛生用のキャビン（１００）。
【請求項５】
前記すすぎ用の第３のタンク（２７）の前記第３の測定器（３３）は、すすぎが終わると自動で閉鎖する第３のバルブ（３４）を備え；前記第３の安全バルブ（３１）は、前記第３のタンク（２７）への空気供給管（１３）に配置され、前記第３のタンク（２７）に対応する前記第３の蓋（２９）を開けるために閉じるように作動することを特徴とする、請求項１に記載のウイルスおよび病原菌消毒用ならびに個人衛生用のキャビン（１００）。
【請求項６】
前記第１の配管（１６）は、肌の手入れ用の洗浄剤、化粧品および芳香剤を供給するために前記設定器（３６）および前記第１のタンク（３）に接続され；前記第２の配管（１７）は、消毒を行うために前記設定器（３６）および前記第２のタンク（１８）に接続され；前記第３の配管（３７）は、すすぎを行うために設定器（３６）および前記第３のタンク（２７）に接続され；前記排出管（３８）は、前記設定器（３６）によって選択された製品が前記スプリンクラーを通って出るように、前記スプリンクラー（４９）に接続されていることを特徴とする、請求項１に記載のウイルスおよび病原菌消毒用ならびに個人衛生用のキャビン（１００）。
【請求項７】
前記キャビン（１００）の前記カバー（４１）は、開閉を容易にするためのサスペンション（４０）を備えていることを特徴とする、請求項１に記載のウイルスおよび病原菌消毒用ならびに個人衛生用のキャビン（１００）。
【請求項８】
前記排出配管（３８）は、滑車（４７）および引き締めねじ（４６）によって誘導される弾性ケーブル（４５）を備えていることを特徴とする、請求項１に記載のウイルスおよび病原菌消毒用ならびに個人衛生用のキャビン（１００）。
【請求項９】
前記扉（４３、４４）に配置されたベアリング（５３）一式を備えていることを特徴とする、請求項１に記載のウイルスおよび病原菌消毒用ならびに個人衛生用のキャビン（１００）。
【請求項１０】
前記キャビン（１００）の前記本体（４２）にある製品を出す排水口（５４）を備えていることを特徴とする、請求項１〜９のいずれか一項に記載のウイルスおよび病原菌消毒用ならびに個人衛生用のキャビン（１００）。
【請求項１１】
前記扉（４３、４４）とカバー（４１）との間に配置された安全ストッパー（５５）を備えていることを特徴とする、請求項１〜１０のいずれか一項に記載のウイルスおよび病原菌消毒用ならびに個人衛生用のキャビン（１００）。
【発明の詳細な説明】
【技術分野】
【０００１】
本発明は、ウイルスおよび病原菌消毒用ならびに個人衛生用のキャビンに関し、ウイルスおよび病原菌から防護するために使用される要素および衣服への付着を理由に病原体を消毒する技術分野に該当し、かつ、個人衛生ならびに、ゲル、すすぎおよび空気による乾燥を利用する肌の手入れ、ならびに化粧品塗布の技術分野に該当する。
【背景技術】
【０００２】
現時点では、ウイルスおよび病原菌の消毒や特定の個人衛生は、手作業で行われている。さらに、ウイルスおよび病原菌から防護するために使用される要素および衣服の場合、そのウイルスおよび病原菌を手作業で除去する必要があり、かなりの長時間を要する手順を用いなければならない。例えば高齢者の個人衛生のような特定の個人衛生の場合、同じく現時点ではゲルおよび化粧品の塗布などは手作業で行われ、この個人衛生を行うために高齢者が浴槽に入るのには困難が伴っている。
【発明の概要】
【発明が解決しようとする課題】
【０００３】
本出願人によれば、プログラム化した連続動作を実行する移動式で独立したキャビンについては知られておらず、本発明のキャビンはこれを実現する。
【０００４】
本発明によるウイルスおよび病原菌消毒用ならびに個人衛生用のキャビンは、生物学的に防護する要素または衣服に潜むウイルスまたは細菌を除去して伝染を予防するために使用される製品を塗布する役割を果たし、ウイルスおよび病原菌を除去するために消毒剤−天然製品または化学製品−を塗布する役割を果たす。また、例えば成人および／または子供に対して、ゲルおよび化粧品を塗布することによる個人衛生を補足するまたは代替する形で使用できる。実際、本発明のキャビンは、内部に配置されたスプリンクラー（噴出器／噴霧器）を介して製品−消毒製品または衛生製品−を塗布することから、どちらの使用にも役立つものである。
【課題を解決するための手段】
【０００５】
本発明によれば、キャビンは、使用者が着用しているウイルスおよび病原菌に対する防護服のフード−または個人衛生用にフードを使用している人の頭−を露出させるまたは出すための中央孔を有する上カバー、および入出用扉を備えている筒状本体を有する。さらに、キャビンの内部には、高さを調節できる座席が配置されている。
【０００６】
キャビンは、消毒用かつ／または個人衛生処理を実行するための製品が入ったタンクも有し、前記製品を押し出すための加圧空気を蓄積するエアタンク、およびエアタンク内に空気の圧力を蓄積するための加圧空気ポンプ、製品をキャビンの扉の内側部分に配置されたスプリンクラーまで誘導する配管、前記押し出しを一貫して調節するために前記配管と前記スプリンクラーとの間に介在している設定器も備え、この設定器は、プログラム化した方法で製品の塗布を実現する。
【０００７】
タンクは、肌の手入れ用の洗浄剤、化粧品および芳香剤に対する第１のタンクと、消毒用の第２のタンクと、すすぎ用の第３のタンクとを含み、この１つ１つのタンクに、蓋、製品の測定器、圧力を測定する圧力計、および安全バルブが備わっている。
【０００８】
使用者は、キャビンの内部に配置され、消毒用または個人衛生用の様々な製品を連続して浴びる。
【０００９】
本明細書では、以下の語彙を使用している。
測定器−製品の入出を管理する器具。
設定器−製品の供給および適用時間を管理する器具。
安全バルブ−液体製品の通路を自動で開閉する弁。
サスペンション−動きを調節し補佐する機械要素。
【図面の簡単な説明】
【００１０】
【図１】キャビンの右側を正面にして見た図である。
【図２】キャビンの左側を正面にして見た図である。
【図３】キャビンのほぼ前面の図である。
【図４】図３に示した図と同様の図だが、座席、カバーおよびスプリンクラーを取り除いた図である。
【図５】図４に示した図と同様の図である。
【図６】図３に示した図と同様の図だが、座席およびスプリンクラーを取り除いた図である。
【図７】キャビンのカバーを示す図である。
【図８】右扉の内部の図である。
【図９】左扉の内部の図である。
【図１０】スプリンクラーおよび安全ストッパーを有する扉の詳細図である。
【発明を実施するための形態】
【００１１】
図１：キャビンの右側を正面にして見たこの図では、キャビン（１００）の本体（４２）は、エアタンク（１２）に加圧空気を供給し、キャビン（１００）の稼働時に使用する製品を押し出す空気ポンプ（１）、空気の逆止弁（２）、加圧空気を収容するための前述のエアタンク（１２）、肌の手入れ向け、図示していない要素、衣服または人物向けの洗浄剤（８）、化粧品および芳香剤が入った第１のタンク（３）、第１の圧力計（４）、第１の蓋（５）、および前記第１のタンク（３）の第１の安全バルブ（６）を備え、第１のタンクは加圧空気の通路弁（７）も備えていることがわかる。また前記図では、この第１のタンク（３）の第１の測定器（９）は、測定器の本体（１０）、洗浄が終わると自動で閉鎖する第１のバルブ（９ａ）を有していることがわかる。第１のタンク（３）は、第１の蓋（５）に対する第１の蝶番（１１）を備えている。またこの図では、加圧空気供給管（１３）、この空気供給管をエアタンク（１２）に接続する継ぎ手（１４）もあり、前記空気供給管（１３）が通路弁（７）および第１の安全バルブ（６）を介して第１のタンク（３）とどのように接続しているのかがわかる。また、第１のタンクと設定器とを接続する第１の配管（１６）と、別の排出管（３８）もあることがわかり、この排出管は、製品をキャビン（１００）の内部に誘導して扉（４３、４４）に配置された複数のスプリンクラー（４９）−できるかぎり明瞭にするために図示していない−に供給し、開口（３９）に入る。キャビン（１００）は、後部に、カバー（４１）を開けやすくするサスペンション（４０）を備え、右前部に、入出用の右扉（４４）を備えている。第１の安全バルブ（６）は、第１のタンク（３）の第１の蓋（５）を開けるために閉じるように作動する。
【００１２】
図２：キャビンの左側を正面にして見たこの図では、キャビン（１００）の本体（４２）は、加圧空気供給管（１３）を備え、この空気供給管は、第２の通路弁（２３）および第２の安全バルブ（２２）を介して消毒用の第２のタンク（１８）に、第３の通路弁（３２）および第３の安全バルブ（３１）を介してすすぎ用の第３のタンク（２７）に接続し、一方、消毒用の第２のタンク（１８）の第２の測定器（２４）は、第２の配管（１７）を介して設定器（３６）と接続し、第３のタンク（２７）の第３の測定器（３３）は第３の配管（３７）を介して設定器（３６）と接続していることがわかる。第２の測定器（２４）は、中身の製品がなくなると自動で閉鎖する第２のバルブ（２５）を備え、第３のタンク（２７）の第３の測定器（３３）は、すすぎが終わると自動で閉鎖する第３のバルブ（３４）を備えている。第２のタンク（１８）は、第２の蓋（２０）および第２の圧力計（１９）を備え、第３のタンク（２７）は、第３の蓋（２９）および第３の圧力計（２８）を備えている。同じように、第２の蓋（２０）は、第２の蝶番（２１）を介して第２のタンク（１８）に接続し、第３の蓋（２９）は、第３の蝶番（３０）を介して第３のタンク（２７）に接続している。この図および図１からわかるように、バルブ（９ａ、２５、３４）は、複数の案内装置（３５）を備えている。設定器（３６）の出力口は、排出管（３８）を介して動作し、この排出管は、同じく開口（３９）を介してキャビン（１００）の内部に入って扉（４３、４４）に配置されたスプリンクラー（４９）−この図には示していない−に供給する。第２の安全バルブ（２２）は、第２のタンク（１８）に対応する第２の蓋（２０）を開けるために閉じるように作動し、第３の安全バルブ（３１）は、第３のタンク（２７）に対応する第３の蓋（２９）を開けるために閉じるように作動する。
【００１３】
図３：キャビン（１００）のほぼ前面であるこの図では、キャビンは、正面から見たとき、右扉（４４）、左扉（４３）、高さを調節できる座席（５１）、およびカバー（４１）ならびにキャビン（１００）の本体（４２）を備えていることがわかる。
【００１４】
図４：図３に示した図と同様だが、座席（５１）、カバー（４１）およびスプリンクラー（４９）を取り除いたこの図では、右扉（４４）、左扉（４３）、前記扉（４３、４４）がベアリング（５３）を介して上を滑走するレール（５２）、およびキャビン（１００）の本体（４２）があることがわかる。
【００１５】
図５：図４に示した図と同様だが、扉（４３、４４）を取り除いたこの図では、キャビン（１００）の本体（４２）にある製品を出す排水口（５４）が備わっていることがわかる。
【００１６】
図６：図３に示した図と同様だが、座席（５１）およびスプリンクラー（４９）を取り除いたこの図では、扉（４３、４４）とカバー（４１）との間に配置された複数の安全ストッパー（５５）が備わっていることがわかる。
【００１７】
図７：キャビン（１００）のカバー（４１）を示す図である。
【００１８】
図８：右扉（４４）の内側を示す図であり、対応する排出管の弾性ケーブル（４５）が配置され、入口継ぎ手（４８）が備わり、弾性ケーブル（４５）は、滑車（４７）および引き締めねじ（４６）によって誘導されている。
【００１９】
図９：左扉（４３）の内側の図であり、同じように、対応する排出管の別の弾性ケーブル（４５）が配置され、入口継ぎ手（４８）が備わり、弾性ケーブル（４５）は、滑車（４７）および引き締めねじ（４６）によって誘導されている。
【００２０】
図１０：スプリンクラー（４９）および安全ストッパー（５５）を有する扉（４３、４４）を詳細に示している。
【００２１】
本発明の特徴およびその実施方法を十分に記載したが、上記のように添付の図面に示して表現した配置は、基本的原理を変更しない限りは細かな修正が可能であることは明らかである。
【符号の説明】
【００２２】
（１）  加圧空気を供給するための空気ポンプ（コンプレッサ）
（２）  コンプレッサまたは空気ポンプの出口に配置された空気逆止弁
（３）  （キャビンの使用に応じて、肌の手入れ向けの洗浄剤、化粧品および芳香剤が入っている）第１のタンク
（４）  （第１のタンクの）第１の圧力計
（５）  （第１のタンクの）第１の蓋
（６）  （第１のタンクの）第１の安全バルブ
（７）  （第１のタンクへの）加圧空気の第１の通路弁
（８）  （第１のタンクに入っている）洗浄剤
（９）  （第１のタンクの）第１の測定器
（９ａ）  （第１のタンクの第１の測定器の）洗浄が終わると自動で閉鎖する第１のバルブ
（１０）  （第１の測定器の）測定器の本体
（１１）  （第１の蓋と第１のタンクとを接続して開けることを可能にする）第１の蝶番
（１２）  キャビン稼働時に使用する製品を押し出すための加圧空気を蓄積するエアタンク
（１３）  （エアタンクおよび製品タンクに接続している）加圧空気供給管
（１４）  （配管（１３）とエアタンク（１２）との間の）結合継ぎ手
（１６）  （第１のタンクと設定器とを接続する）第１の配管
（１７）  （第２のタンクと設定器とを接続する）第２の配管
（１８）  （消毒用）第２のタンク
（１９）  （消毒用の第２のタンクの）第２の圧力計
（２０）  （第２のタンクの）第２の蓋
（２１）  （開けることが可能なように第２蓋と第２のタンクとを接続する）第２の蝶番
（２２）  （第２のタンクの）第２の安全バルブ
（２３）  （第２のタンクへの）加圧空気の第２の通路弁
（２４）  （第２のタンクの）第２の測定器
（２５）  （第２のタンクの第２の測定器の）中身の製品がなくなると自動で閉鎖する第２のバルブ
（２７）  すすぎ用の第３のタンク
（２８）  （第３のタンクの）第３の圧力計
（２９）  （第３のタンクの）第３の蓋
（３０）  （開けることが可能なように第３の蓋と第３のタンクとを接続する）第３の蝶番
（３１）  （第３のタンクの）第３の安全バルブ
（３２）  （第３のタンクへの）加圧空気の第３の通路弁
（３３）  （第３のタンクへの）第３の測定器
（３４）  （第３のタンクの第３の測定器の）すすぎが終わると自動で閉鎖する第３のバルブ
（３５）  （タンクを自動で閉鎖するバルブの）案内装置
（３６）  設定器
（３７）  （第３のタンクと設定器とを接続する）第３の配管
（３８）  （設定器からスプリンクラーに向かう）排出管
（３９）  排出管（３８）をキャビン内部に通してスプリンクラーに接続するための開口
（４０）  開口を容易にするキャビンカバーのサスペンション
（４１）  キャビンカバー
（４２）  キャビン本体
（４３）  左扉
（４４）  右扉
（４５）  弾性ケーブル
（４６）  引き締めねじ（各弾性ケーブルを誘導するもの）
（４７）  滑車（弾性ケーブルを誘導するもの）
（４８）  （弾性ケーブル（４５）の）入口継ぎ手
（４９）  スプリンクラー
（５１）  （高さを調節できる）座席
（５２）  （扉（４３、４４）が上を滑走する）レール
（５３）  （扉（４３、４４）に配置されている）ベアリング
（５４）  キャビンの排水口
（５５）  扉に配置されている安全ストッパー
（１００）  （一つにまとまった）キャビン
【図１】
2019517901.tif 000003
【図２】
2019517901.tif 000004
【図３】
2019517901.tif 000005
【図４】
2019517901.tif 000006
【図５】
2019517901.tif 000007
【図６】
2019517901.tif 000008
【図７】
2019517901.tif 000009
【図８】
2019517901.tif 000010
【図９】
2019517901.tif 000011
【図１０】
2019517901.tif 000012
【国際調査報告】
2019517901.tif 000013
2019517901.tif 000014
2019517901.tif 000015
2019517901.tif 000016
2019517901.tif 000017
2019517901.tif 000018